(57)【要約】【課題】ガス供給開始直後のガスのピーク圧力を考慮した設計による固体酸化物型燃料電池（ＳＯＦＣ）の体格の大型化を抑制し得るＳＯＦＣを含んだデバイスを提供すること。【解決手段】ＳＯＦＣスタック１０と、ＳＯＦＣスタック１０の発電反応に供されるガス（空気と燃料ガス）を外部流路Ｃ１，Ｃ２を介してＳＯＦＣスタック１０に供給するガス供給部３０との間に、ガス供給開始直後においてＳＯＦＣスタック１０のガス導入孔内の圧力（従って、ＳＯＦＣスタック１０の内部流路内の圧力）が過大に上昇することを抑制する第１圧力開放部４０が備えられる。これにより、過大圧力（ピーク圧力）に対応する繰り返し応力に耐え得るようにＳＯＦＣスタック１０を設計する必要がなくなり、ピーク圧力を考慮した設計によるＳＯＦＣスタック１０の体格の大型化が抑制され得る。【選択図】図１
2007317640.tif 000002
【特許請求の範囲】
【請求項１】
発電反応に供されるガスの供給を受けて電圧を発生する平板状のセルと、前記セルに前記ガスを供給する内部流路を構成する平板状の支持部材と、が交互に積層されてなるスタック構造を有する固体酸化物型燃料電池と、
前記固体酸化物型燃料電池を加熱するヒータと、
前記内部流路に通じる前記固体酸化物型燃料電池のガス導入孔と前記固体酸化物型燃料電池の外部の外部流路を介して接続され、前記ヒータの加熱により前記固体酸化物型燃料電池の温度が６００℃以上である状態で前記固体酸化物型燃料電池への前記ガスの供給を開始するガス供給部と、
前記ガス導入孔内の圧力が第１圧力未満では前記外部流路と外部とを遮断する閉弁状態にあり前記ガス導入孔内の圧力が前記第１圧力以上では開弁して前記外部流路と外部とを連通する第１圧力開放部と、
を備えた固体酸化物型燃料電池を含んだデバイス。
【請求項２】
請求項１に記載の固体酸化物型燃料電池を含んだデバイスにおいて、
前記第１圧力は、前記第１圧力開放部が常時前記閉弁状態にあると仮定した場合における前記ガスの供給開始直後の前記ガス導入孔内のピーク圧力よりも小さく、前記ガスの供給開始から所定時間経過後の安定した前記ガス導入孔内の圧力よりも大きい圧力に設定された固体酸化物型燃料電池を含んだデバイス。
【請求項３】
請求項１又は請求項２に記載の固体酸化物型燃料電池を含んだデバイスにおいて、
前記ガスとして燃料ガスと空気とが前記ガス供給部から前記固体酸化物型燃料電池に個別に供給され、
前記燃料ガスに対する前記第１圧力と前記空気に対する前記第１圧力とが個別に設定された固体酸化物型燃料電池を含んだデバイス。
【請求項４】
請求項１乃至請求項３の何れか一項に記載の固体酸化物型燃料電池を含んだデバイスにおいて、
前記固体酸化物型燃料電池と前記第１圧力開放部とが一体化された固体酸化物型燃料電池を含んだデバイス。
【請求項５】
請求項１乃至請求項４の何れか一項に記載の固体酸化物型燃料電池を含んだデバイスであって、
少なくとも前記固体酸化物型燃料電池と前記第１圧力開放部とを外部から気密的に隔離するように収容する筐体と、
前記筐体内の圧力が第２圧力未満では前記筐体内と外部とを遮断する閉弁状態にあり前記筐体内の圧力が前記第２圧力以上では開弁して前記筐体内と外部とを連通する第２圧力開放部と、
を備えた固体酸化物型燃料電池を含んだデバイス。
【請求項６】
請求項５に記載の固体酸化物型燃料電池を含んだデバイスにおいて、
前記第２圧力は、外部の圧力の１．０５〜３倍の圧力に設定された固体酸化物型燃料電池を含んだデバイス。
【発明の詳細な説明】
【技術分野】
【０００１】
本発明は、固体酸化物型燃料電池を含んだデバイスに関する。
【背景技術】
【０００２】
近年、パソコン、携帯電話機等の携帯機器用のバッテリとして利用されるマイクロ燃料電池の１種として、固体酸化物型燃料電池（以下、「ＳＯＦＣ」とも称呼する。）が開発されてきている（特許文献１を参照）。
【特許文献１】特開２００５−１６６４３９号公報
【発明の開示】
【０００３】
このＳＯＦＣは、発電反応に供されるガス（具体的には、燃料ガスと空気）の供給を受けて電圧を発生する平板状のセルと、セルにガスを供給する内部流路を構成する平板状の支持部材と、が交互に積層されたスタック構造をもって構成され得る。
【０００４】
一般に、このＳＯＦＣは、６００℃（好ましくは、８００℃）以上に加熱された状態で使用される。従って、通常、ＳＯＦＣへの上記ガスの供給は、ヒータによりＳＯＦＣが６００℃以上に加熱された状態で行われる。
【０００５】
しかしながら、この場合、上記ガスが上記内部流路に通じるＳＯＦＣのガス導入孔内に供給開始されると、突然、そのガスが６００℃以上の高温雰囲気にさらされて、急激に膨張することになる。この結果、ガスの供給開始直後において、ＳＯＦＣのガス導入孔内（或いは、ガス導入孔近傍の上記内部流路内）の圧力が一時的に過大に上昇する現象が発生する。以下、この現象の発生中におけるガス導入孔内の圧力の最大値を「ピーク圧力」と称呼する。
【０００６】
従って、この場合、携帯機器用のバッテリとして利用されるＳＯＦＣを起動する毎に、即ち、ＳＯＦＣにガスが供給開始される毎に、上記ピーク圧力に対応する応力がＳＯＦＣの構成部材に加わる。即ち、上記ピーク圧力に対応する繰り返し応力に耐え得るようにＳＯＦＣを設計する必要が生じる。この結果、ＳＯＦＣの体格が大型化するという問題があった。
【０００７】
以上より、本発明の目的は、上記ピーク圧力を考慮した設計によるＳＯＦＣの体格の大型化を抑制し得るＳＯＦＣを含んだデバイスを提供することにある。
【０００８】
上記目的を達成するための本発明によるＳＯＦＣを含んだデバイスは、発電反応に供されるガスの供給を受けて電圧を発生する平板状のセルと、前記セルに前記ガスを供給する内部流路を構成する平板状の支持部材と、が交互に積層されてなるスタック構造を有するＳＯＦＣと、前記ＳＯＦＣを加熱するヒータと、前記内部流路に通じる前記ＳＯＦＣのガス導入孔と前記ＳＯＦＣの外部の外部流路を介して接続され、前記ヒータの加熱により前記ＳＯＦＣの温度が６００℃以上である状態で前記ＳＯＦＣへの前記ガスの供給を開始するガス供給部とを備える。
【０００９】
本発明によるＳＯＦＣを含んだデバイスの特徴は、前記ガス導入孔内の圧力が第１圧力未満では前記外部流路と外部とを遮断する閉弁状態にあり前記ガス導入孔内の圧力が前記第１圧力以上では開弁して前記外部流路と外部とを連通する第１圧力開放部を備えることにある。この前記第１圧力開放部は、前記ＳＯＦＣと一体化されてもよい。
【００１０】
これによれば、ＳＯＦＣのガス導入孔内の圧力が第１圧力以上になると、外部流路と外部とが連通して外部流路内の一部のガスが外部（大気圧雰囲気）へ開放される。従って、ガス導入孔内の圧力が第１圧力より大きい圧力へ上昇することが抑制され得る。この結果、第１圧力を上記ピーク圧力よりも小さい圧力に設定すれば、第１圧力に対応する繰り返し応力に耐え得るようにＳＯＦＣを設計すればよく、上記ピーク圧力を考慮した設計によるＳＯＦＣの体格の大型化が抑制され得る。
【００１１】
前記第１圧力は、前記第１圧力開放部が常時前記閉弁状態にあると仮定した場合における前記ガスの供給開始直後の前記ガス導入孔内のピーク圧力よりも小さく、前記ガスの供給開始から所定時間経過後の安定した前記ガス導入孔内の圧力よりも大きい圧力に設定されることが好適である。ここにおいて、「ピーク圧力」と、「所定時間経過後の安定した圧力」は共に、デバイスの諸元、具体的には、ガス供給部に備えられたポンプの吐出ガス流量、流路抵抗等により設計上・実験上一義的に決まる値である。
【００１２】
一般に、ガスの供給開始から所定時間経過後は、ガス導入孔内（或いは、内部流路内）の圧力は安定する。従って、上記構成によれば、上述のように、ＳＯＦＣの体格の大型化が抑制され得ることに加え、ガス導入孔内の圧力の安定後において第１圧力開放部が開弁状態に維持される事態の発生を防止することができる。
【００１３】
ＳＯＦＣの発電反応に供される前記ガスは、通常、燃料ガス（水素等）と空気である。この燃料ガスと空気は前記ガス供給部からＳＯＦＣに個別に供給される。従って、燃料ガスに対する前記第１圧力と空気に対する前記第１圧力とが個別に（異なる値に）設定されてもよい。
【００１４】
上記本発明によるデバイスにおいては、少なくとも前記ＳＯＦＣと前記第１圧力開放部とを外部から気密的に隔離するように収容する筐体と、前記筐体内の圧力が第２圧力未満では前記筐体内と外部とを遮断する閉弁状態にあり前記筐体内の圧力が前記第２圧力以上では開弁して前記筐体内と外部とを連通する第２圧力開放部とを備えることが好適である。ここで、前記第２圧力は、例えば、外部の圧力の１．０５〜３倍の圧力に設定され得る。
【００１５】
スタック構造を有するＳＯＦＣでは、ＳＯＦＣ内の内部流路とＳＯＦＣの外側とを気密的に隔離するシール部を介して内部流路内のガスが漏れ出る場合も発生し得る。ＳＯＦＣが外部から気密的に隔離されるように筐体に収容されている場合において上述した内部流路内のガスの漏出が発生すると、筐体内の圧力が上昇し得る。
【００１６】
ここで、上記構成のように第２圧力開放部が設けられると、筐体内の圧力が第２圧力より大きい圧力へ上昇することが抑制され得る。この結果、第２圧力に対応する応力に耐え得るように筐体を設計すればよく、上記ガスの漏出を考慮した設計による筐体の体格の大型化が抑制され得る。
【発明を実施するための最良の形態】
【００１７】
以下、図面を参照しつつ本発明の実施形態に係るＳＯＦＣを含んだデバイスについて説明する。
【００１８】
図１は、本発明の実施形態に係る固体酸化物型燃料電池（ＳＯＦＣ）を含んだデバイスの模式図である。このデバイスは、スタック構造を有するＳＯＦＣ（以下、「ＳＯＦＣスタック」と称呼する。）１０と、ヒータ２０と、ガス供給部３０と、第１圧力開放部４０と、筐体５０と、第２圧力開放部６０とを備えている。
【００１９】
ＳＯＦＣスタック１０は、図２に示すように、平板状の単セル１１と平板状の支持部材１２とが交互に積層されたスタック構造を有している。支持部材１２は、「インターコネクタ」とも称呼される。
【００２０】
単セル１１は、電解質層（固体電解質層）１１ａと、電解質層１１ａの上（上面）に形成された燃料極層１１ｂと、電解質層１１ａの燃料極層１１ｂとは反対の面（下面）に形成された空気極層１１ｃと、を有している。
【００２１】
本例において、電解質層１１ａはセラミックス層としてのＹＳＺ（イットリア安定化ジルコニア）の緻密な焼成体である。燃料極層１１ｂは、Ｎｉ−ＹＳＺからなる焼成体であり、多孔質電極層である。空気極層１１ｃは、ＬＳＭ（Ｌａ（Ｓｒ）ＭｎＯ３：ランタンストロンチウムマンガナイト）−ＹＳＺからなる焼成体であり、多孔質電極層である。
【００２２】
ＳＯＦＣスタック１０は、例えば、図３に示したように、単セル１１の燃料極層１１ｂと支持部材１２の（平面部の）下面との間に形成された燃料流路１４に燃料ガス（具体的には、水素）が供給され、且つ、単セル１１の空気極層１１ｃと支持部材１２の（平面部の）上面との間に形成された空気流路１３に空気が供給されることにより、以下に示す化学反応式（１）及び（２）に基づく発電を行う。
（１／２）・Ｏ２＋２ｅ−→Ｏ２−    （於：空気極層１１ｃ）  …（１）
Ｈ２＋Ｏ２−→Ｈ２Ｏ＋２ｅ−        （於：燃料極層１１ｂ）  …（２）
【００２３】
なお、発電反応に供された後の燃料ガスと空気とは混合されて排気通路Ｃ３を介して導出ガスとして外部に排気されるようになっている。ここで、空気流路１３及び燃料流路１４は前記「内部流路」に対応する。
【００２４】
ヒータ２０は、例えば、薄膜ヒータで昇温する構造、燃料ガスを燃焼する構造等、周知の構造の１つにて構成されていて、ＳＯＦＣスタック１０を発電反応が発生し得る８００℃程度まで加熱し得るようになっている。
【００２５】
ガス供給部３０は、図４に示すように、外部から吸い込んだ空気を吐出する空気ポンプ３１と、燃料改質器３２から吸い込んだ燃料ガスを吐出する燃料ガスポンプ３３とを備えている。燃料改質器３２は、図示しない燃料タンク内に貯留されている例えば液体メタノールを燃料ガス（水素）に変換する装置であり、周知の構造の１つにて構成されている。
【００２６】
空気ポンプ３１は、上記空気流路１３に通じるＳＯＦＣスタック１０の空気導入孔（ＳＯＦＣスタック１０内に空気を導入するための孔。図示せず）と外部流路Ｃ１を介して接続されている。燃料ガスポンプ３２は、上記燃料流路１４に通じるＳＯＦＣスタック１０の燃料ガス導入孔（ＳＯＦＣスタック１０内に燃料ガスを導入するための孔。図示せず）と外部流路Ｃ２を介して接続されている。
【００２７】
これにより、ガス供給部３０は、空気ポンプ３１及び燃料ガスポンプ３２を駆動することで、ＳＯＦＣスタック１０に、発電反応に供されるガスである燃料ガス（水素）と空気とをそれぞれ個別に供給できるようになっている。ここで、上記空気導入孔及び上記燃料ガス導入孔は前記「ガス導入孔」に対応する。
【００２８】
第１圧力開放部４０は、図４に示すように、２ポート２位置型の開閉弁である、空気リリーフ弁４１及び燃料ガスリリーフ弁４２を有している。空気リリーフ弁４１は、弁体４１ａとコイルスプリング４１ｂとからなる周知の構造の１つから構成されている。弁体４１ａは、空気ポンプ３１により吐出された空気の外部流路Ｃ１内の圧力（従って、上記空気導入孔内の圧力）Paにより開弁方向の力を受け、コイルスプリング４１ｂの付勢力により閉弁方向の力を受けるようになっている。
【００２９】
これにより、空気導入孔圧力Paが開弁圧Paref（前記「空気に対する第１圧力」に対応）未満の場合、外部流路Ｃ１と外部とを遮断し（閉弁状態にあり）、空気導入孔圧力Paが開弁圧Paref以上では開弁して外部流路Ｃ１と外部とを連通するようになっている。この結果、空気リリーフ弁４１の開弁状態では、外部流路Ｃ１内のガスの一部が第１開放流路Ｃ４を介して第１開放ガスとして外部（大気圧雰囲気）へ開放され得る。この開弁圧Parefについては後述する。
【００３０】
同様に、燃料ガスリリーフ弁４２は、弁体４２ａとコイルスプリング４２ｂとからなる周知の構造の１つから構成されている。弁体４２ａは、燃料ガスポンプ３３により吐出された燃料ガスの外部流路Ｃ２内の圧力（従って、上記燃料ガス導入孔内の圧力）Pfにより開弁方向の力を受け、コイルスプリング４２ｂの付勢力により閉弁方向の力を受けるようになっている。
【００３１】
これにより、燃料ガス導入孔圧力Pfが開弁圧Pfref（前記「燃料ガスに対する第１圧力」に対応）未満の場合、外部流路Ｃ２と外部とを遮断し（閉弁状態にあり）、燃料ガス導入孔圧力Pfが開弁圧Pfref以上では開弁して外部流路Ｃ２と外部とを連通するようになっている。この結果、燃料ガスリリーフ弁４２の開弁状態では、外部流路Ｃ２内のガスの一部が上記第１開放流路Ｃ４を介して第１開放ガスとして外部（大気圧雰囲気）へ開放され得る。この開弁圧Pfrefについても後述する。
【００３２】
この第１圧力開放部４０は、本例では、図５に示すように、ＳＯＦＣスタック１０の下側に一体固設されていて、このＳＯＦＣスタック１０と第１圧力開放部４０とで「ＳＯＦＣモジュール」を構成している。
【００３３】
筐体５０は、略直方体を呈していて、このＳＯＦＣモジュール（及びヒータ２０）を外部から気密的に隔離するように収容している。
【００３４】
第２圧力開放部６０は、筐体５０の内壁の所定箇所に固設されていて、図６に示すように、２ポート２位置型の開閉弁である筐体リリーフ弁６１を有している。筐体リリーフ弁６１は、弁体６１ａとコイルスプリング６１ｂとからなる周知の構造の１つから構成されている。弁体６１ａは、筐体５０内（且つＳＯＦＣモジュールの外）の圧力（筐体内圧力Pc）により開弁方向の力を受け、コイルスプリング６１ｂの付勢力により閉弁方向の力を受けるようになっている。
【００３５】
これにより、筐体内圧力Pcが開弁圧Pcref（前記「第２圧力」に対応）未満の場合、筐体５０内と外部とを遮断し（閉弁状態にあり）、筐体内圧力Pcが開弁圧Pcref以上では開弁して筐体５０内と外部とを連通するようになっている。この結果、筐体リリーフ弁６１の開弁状態では、筐体５０内のガスの一部が第２開放流路Ｃ５を介して第２開放ガスとして外部（大気圧雰囲気）へ開放され得る。この開弁圧Pcrefについても後述する。
【００３６】
次に、上記のように構成される本発明の実施形態に係るＳＯＦＣを含んだデバイスの作動について説明する。
【００３７】
上述したガス供給部３０は、ヒータ２０の加熱によりＳＯＦＣスタック１０の温度（平均温度）が６００℃以上（好ましくは、８００℃以上）である状態で、空気ポンプ３１及び燃料ガスポンプ３３を同時に駆動開始する（即ち、本デバイスが起動される）。これにより、ＳＯＦＣスタック１０への空気及び燃料ガスの供給が開始されて、ＳＯＦＣスタック１０が上記化学反応式（１）及び（２）に基づく発電を開始する。
【００３８】
この場合、空気が上記空気導入孔内に供給開始されると、突然、その空気が６００℃以上の高温雰囲気にさらされて、急激に膨張することになる。この結果、仮に、上記空気リリーフ弁４１が常時閉弁状態にあるものとすると、図７に実線にて示すように、空気の供給開始直後において、空気導入孔圧力Pa（或いは、空気導入孔近傍の上記空気流路１３内の圧力）が一時的に過大に上昇する現象が発生する。この場合における空気導入孔圧力Paの最大値を「ピーク圧力Papeak」と称呼する。そして、空気の供給開始から所定時間経過すると、空気導入孔圧力Paは安定した圧力Pasteady（＜Papeak）に維持される。
【００３９】
同様に、燃料ガスが上記燃料ガス導入孔内に供給開始されると、突然、その燃料ガスが６００℃以上の高温雰囲気にさらされて、急激に膨張することになる。この結果、仮に、上記燃料ガスリリーフ弁４２が常時閉弁状態にあるものとすると、図８に実線にて示すように、燃料ガスの供給開始直後において、燃料ガス導入孔圧力Pf（或いは、燃料ガス導入孔近傍の上記燃料流路１４内の圧力）が一時的に過大に上昇する現象が発生する。この場合における燃料ガス導入孔圧力Pfの最大値を「ピーク圧力Pfpeak」と称呼する。そして、燃料ガスの供給開始から所定時間経過すると、燃料ガス導入孔圧力Pfは安定した圧力Pfsteady（＜Pfpeak）に維持される。
【００４０】
これに対し、本例では、図７に示すように、空気リリーフ弁４１の開弁圧Parefが、ピーク圧力Papeakよりも小さく且つ安定した圧力Pasteadyよりも大きい圧力に設定されている。同様に、図８に示すように、燃料ガスリリーフ弁４２の開弁圧Pfrefが、ピーク圧力Pfpeakよりも小さく且つ安定した圧力Pfsteadyよりも大きい圧力に設定されている。
【００４１】
従って、図７に破線で示したように、空気導入孔圧力Paが開弁圧Parefより大きい圧力へ上昇することが抑制され得る。同様に、図８に破線で示したように、燃料ガス導入孔圧力Pfが開弁圧Pfrefより大きい圧力へ上昇することが抑制され得る。この結果、ピーク圧力Papeak，Pfpeak（の大きい方）に代えて開弁圧Paref，Pfref（の大きい方）に対応する繰り返し応力に耐え得るようにＳＯＦＣスタック１０を設計すればよく、ピーク圧力Papeak，Pfpeakを考慮した設計によるＳＯＦＣスタック１０の体格の大型化が抑制され得る。
【００４２】
加えて、空気及び燃料ガスの供給開始から所定時間経過後において、空気リリーフ弁４１及び燃料ガスリリーフ弁４２が開弁状態に維持される事態の発生を防止することができる。
【００４３】
また、ＳＯＦＣスタック１０では、ＳＯＦＣ内の内部流路（空気流路１３及び燃料流路１４）とＳＯＦＣの外側とを気密的に隔離するシール部を介して内部流路内のガスが漏れ出る場合も発生し得る。このように、内部流路内のガスの漏出が発生すると、漏出ガスは筐体５０内に充満する。この結果、上記筐体内圧力Pcが上昇し得る。
【００４４】
ここで、仮に、上記筐体リリーフ弁６１が常時閉弁状態にあるものとすると、筐体内圧力Pcが際限なく上昇し得る。これに対し、本例では、筐体リリーフ弁６１の開弁圧Pcrefが、外部の圧力の１．０５〜３倍の比較的小さい圧力に設定されている。即ち、筐体内圧力Pcが開弁圧Pcrefより大きい圧力へ上昇することが抑制され得る。
【００４５】
この結果、開弁圧Pcrefに耐え得るように筐体５０を設計すればよく、上記ガスの漏出を考慮した設計による筐体５０の体格の大型化が抑制され得る。
【００４６】
以上、説明したように、本発明の実施形態に係るＳＯＦＣを含んだデバイスでは、ＳＯＦＣスタック１０と、ＳＯＦＣスタック１０の発電反応に供されるガス（空気と燃料ガス）を外部流路Ｃ１，Ｃ２を介してＳＯＦＣスタック１０に供給するガス供給部３０との間に、ガス供給開始直後においてＳＯＦＣスタック１０のガス導入孔内の圧力（従って、ＳＯＦＣスタック１０の内部流路内の圧力）が過大に上昇することを抑制する第１圧力開放部４０が備えられている。これにより、過大圧力（ピーク圧力Papeak，Pfpeak（の大きい方））に対応する繰り返し応力に耐え得るようにＳＯＦＣスタック１０を設計する必要がなくなり、過大圧力を考慮した設計によるＳＯＦＣスタック１０の体格の大型化が抑制され得る。
【００４７】
加えて、ＳＯＦＣスタック１０を外部から気密的に隔離するように収容する筐体５０内に、筐体５０内の圧力が過大に上昇することを抑制する第２圧力開放部６０が備えられている。これにより、ＳＯＦＣ内の内部流路とＳＯＦＣの外側とを気密的に隔離するシール部を介して内部流路内のガスが漏れ出ることにより筐体５０内の圧力が際限なく上昇することが抑制される。この結果、過大圧力に耐え得るように筐体５０を設計する必要がなくなり、過大圧力を考慮した設計による筐体５０の体格の大型化が抑制され得る。
【００４８】
なお、本発明は上記実施形態に限定されることはなく、本発明の範囲内において種々の変形例を採用することができる。例えば、上記実施形態では、空気リリーフ弁４１の開弁圧Parefと燃料ガスリリーフ弁４２の開弁圧Pfrefとを等しい値に設定してもよいし、異ならせてもよい。
【００４９】
また、上記実施形態においては、筐体５０は、ＳＯＦＣモジュール（＝ＳＯＦＣスタック１０＋第１圧力開放部４０）（及びヒータ２０）のみを収容しているが、ＳＯＦＣモジュール（及びヒータ２０）に加えてガス供給部３０をも収容するように構成してもよい。
【００５０】
加えて、上記実施形態において、第２圧力開放部６０を省略してもよい。また、筐体５０を省略してもよい。
【図面の簡単な説明】
【００５１】
【図１】本発明の実施形態に係る固体酸化物型燃料電池（ＳＯＦＣ）を含んだデバイスの模式図である。
【図２】図１に示したＳＯＦＣスタックの主要断面を示した斜視図である。
【図３】図１に示したＳＯＦＣスタックにおける燃料ガスと空気の流通を説明する図である。
【図４】図１に示したガス供給部と第１圧力開放部のガス回路を示した図である。
【図５】図１に示したＳＯＦＣスタックと第１圧力開放部とが一体化されている様子を示した斜視図である。
【図６】図１に示した第２圧力開放部のガス回路を示した図である。
【図７】空気供給開始後におけるＳＯＦＣの空気導入孔内の圧力の変化を示した図である。
【図８】燃料ガス供給開始後におけるＳＯＦＣの燃料ガス導入孔内の圧力の変化を示した図である。
【符号の説明】
【００５２】
１０…ＳＯＦＣスタック、１１…単セル、１２…支持部材、２０…ヒータ、３０…ガス供給部、３１…空気ポンプ、３２…燃料ガスポンプ、４０…第１圧力開放部、４１…空気リリーフ弁、４２…燃料ガスリリーフ弁、５０…筐体、６０…第２圧力開放部、６１…筐体リリーフ弁
【図１】
2007317640.tif 000003
【図２】
2007317640.tif 000004
【図３】
2007317640.tif 000005
【図４】
2007317640.tif 000006
【図５】
2007317640.tif 000007
【図６】
2007317640.tif 000008
【図７】
2007317640.tif 000009
【図８】
2007317640.tif 000010